(57)【要約】【課題】捕球具内でプレイヤーの指の位置を固定することにより捕球ミスを低減することが可能な捕球具を提供する。【解決手段】捕球具１は、外皮と、外皮の内側に挿入される内皮とを備える。内皮は、手掌側内皮１２と手甲側内皮１３とを結合することにより形成され、手の各指を受け入れる複数の指部を有する。この指部の付根部間の少なくとも１箇所に、指股拡張片１５を取り付ける。それにより、内皮における所望の指部の付根部間に、該付根部間の間隔を広げる拡張部を設ける。【選択図】        図２
2004187742.tif 000002
【特許請求の範囲】
【請求項１】
外皮（８，９）と、
前記外皮の内側に挿入される内皮（１２，１３）とを備え、
前記内皮（１２，１３）は、手の各指を受け入れる複数の指部（１６，１７，１８，１９，２０）を有し、
前記指部（１６，１７，１８，１９，２０）の付根部間の少なくとも１箇所に、前記付根部間の間隔を拡張する拡張部（１５）を設けた、捕球具。
【請求項２】
前記指部（１６，１７，１８，１９，２０）は、前記手掌側内皮（１２）から立ち上がり、前記手の指間の指股部近傍に配置される立上り部（１４）を有し、
前記立上り部（１４）間に前記拡張部（１５）を設けた、請求項１に記載の捕球具。
【請求項３】
前記内皮（１２，１３）は、手掌側に位置する手掌側内皮（１２）と、手甲側に位置する手甲側内皮（１３）とを含み、
前記手掌側内皮（１２）は、前記拡張部（１５）を形成するための拡張片（１５）を有し、該拡張片（１５）を前記手甲側内皮（１３）に縫着することにより前記拡張部（１５）を形成する、請求項１に記載の捕球具。
【請求項４】
前記指部（１６，１７，１８，１９，２０）は、親指を受け入れる親指部（１６）と、人差指を受け入れる人差指部（１７）と、中指を受け入れる中指部（１８）と、薬指を受け入れる薬指部（１９）と、小指を受け入れる小指部（２０）とを含み、
前記中指部（１８）の付根部と、前記薬指部（１９）の付根部との間に前記拡張部（１５）を設けた、請求項１から請求項３のいずれかに記載の捕球具。
【請求項５】
前記指部（１６，１７，１８，１９，２０）は、親指を受け入れる親指部（１６）と、人差指を受け入れる人差指部（１７）と、中指を受け入れる中指部（１８）と、薬指を受け入れる薬指部（１９）と、小指を受け入れる小指部（２０）とを含み、
前記人差指部（１７）の付根部と、前記中指部（１８）の付根部との間に前記拡張部（１５）を設けた、請求項１から請求項３のいずれかに記載の捕球具。
【請求項６】
前記外皮（８，９）は、手の各指を受け入れる複数の指袋（２，４，５，６，７）を有し、
前記指袋（２，４，５，６，７）の付根部間であって前記拡張部（１５）に対応した位置に間隙（９）を設けた、請求項１から請求項５のいずれかに記載の捕球具。
【発明の詳細な説明】
【０００１】
【発明の属する技術分野】
この発明は、野球またはソフトボール用グラブやミット等の捕球具に関し、特に、捕球動作を容易に行なうことができる捕球具の構造に関する。
【０００２】
【従来の技術】
従来の捕球具の一例である野球またはソフトボール用グラブとして、たとえば特開昭５５−７８９６９号公報、実開昭５７−１０９８６３号公報、実開昭５７−１７３７７２号公報および特許第２９５０３１９号公報に記載されたものがある。
【０００３】
特開昭５５−７８９６９号公報には、グラブの内側受球面皮の人差指と中指、中指と薬指、人差指と中指と薬指の併合部の股部の間隔を広くとり、かつ各股部延長片を連続的に設け、これを表側に折り返して表側指皮片に縫着した野球グラブが記載されている。
【０００４】
実開昭５７−１０９８６３号公報には、野球用グラブの捕球面側外皮の第２指の指腹面外皮部から第５指の指腹面外皮部までの各指腹面外皮部間の間を広くした野球グラブが記載されている。また、指腹面外皮部間の付根部にグラブの甲側へ折り返される細帯片を設け、各指腹面外皮部の外周縁に沿って設けられる耳片を上記付根部で細帯片に沿ってグラブの甲側へ迂回させ、グラブの甲側の外皮の端縁部と指腹面外皮部および細帯片とを縫合する。
【０００５】
実開昭５７−１７３７７２号公報には、捕球面皮の指股間の基部に指先方向に延びる弧状凸片を設け、背面皮と補強皮とを介してこの弧状凸片を各指袋に縫合し、弧状凸片を設けた指股間の基部において捕球面皮が膨張する一方で縫合部が沈む野球またはソフトボール用グラブが記載されている。
【０００６】
特許第２９５０３１９号公報には、内装芯袋を外装用袋内に挿入して組み立てた野球用グラブが記載されている。この野球用グラブでは、外装用袋を表面部材と背面部材とで構成し、調整部として、表面部材における掌片から延設した小指片と薬指片の間に切欠部を設けて所定の間隔を形成する。背面部材における小指背面片と薬指背面片の間に突片または切欠部を設け、表面部材の小指片に対して薬指片を切欠部の間隔だけ後方に位置させる。また、背面部材の突片または切欠部を利用してそれぞれの指片を当接し、表面部材に背面部材を縫着して組み立てる。それにより、小指袋に対して薬指袋を捕球面の背面側に位置させる段部を形成する。
【０００７】
【特許文献１】
特開昭５５−７８９６９号公報
【０００８】
【特許文献２】
実開昭５７−１０９８６３号公報
【０００９】
【特許文献３】
実開昭５７−１７３７７２号公報
【００１０】
【特許文献４】
特許第２９５０３１９号公報
【００１１】
【発明が解決しようとする課題】
上述の特開昭５５−７８９６９号公報に記載の野球グラブでは、破れやすい指股部を補強するために股部延長片を表側指皮片に縫着している。しかし、該股部延長片がグラブ内でプレイヤーの指の位置を固定するためのものではないので、グラブ内でプレイヤーの指の位置を固定して指間の間隙を調節することはできない。したがって、捕球時にグラブ内で指が動き、手の力をグラブに効率的に伝達し難くなる場合や、受球の際の最適位置が変動する場合が生じる。そのため、捕球ミスが生じやすくなるという問題がある。
【００１２】
また、実開昭５７−１０９８６３号公報に記載の野球グラブの場合も、各指腹面外皮部間の間を広くしただけであり、グラブ内でプレイヤーの指の位置を固定する手段は記載されていない。したがって、捕球時にグラブ内で指を固定することができず、上記の場合と同様に捕球ミスが生じやすくなるという問題がある。
【００１３】
実開昭５７−１７３７７２号公報に記載の野球グラブの場合も、弧状凸片を各指袋に縫合しただけであり、グラブ内でプレイヤーの指の位置を固定する手段は記載されていない。よって、この野球グラブの場合も、上記の場合と同様に、捕球時にグラブ内で指を固定することができず、捕球ミスが生じやすくなるという問題がある。
【００１４】
特許第２９５０３１９号公報に記載の野球グラブの場合も、小指袋に対して薬指袋を捕球面の背面側に位置させただけであり、グラブ内でプレイヤーの指の位置を固定する手段は記載されていない。したがって、上記の各野球グラブの場合と同様に、捕球時にグラブ内で指を固定することができず、捕球ミスが生じやすくなるという問題がある。
【００１５】
本発明は、上記のような課題を解決するためになされたものであり、グラブ内でプレイヤーの指の位置を固定することにより捕球ミスを低減することが可能となる捕球具を提供することにある。
【００１６】
【課題を解決するための手段】
本発明に係る捕球具は、外皮と、外皮の内側に挿入される内皮とを備え、内皮は、手の各指を受け入れる複数の指部を有し、該指部の付根部間の少なくとも１箇所に、上記付根部間の間隔を拡張する拡張部を設ける。
【００１７】
このように内皮の指部の付根部間に拡張部を設けることにより、所望の指部の付根部間の間隔を広げることができる。捕球具をプレイヤーの手に装着する際には内皮の内側に手を挿入することとなるが、上記のように拡張部を設けた捕球具をプレイヤーの手に装着することにより、該拡張部で手の指の間を広げた状態で保持することができる。それにより、捕球具内で所望の指の位置を固定することができる。
【００１８】
上記指部は、好ましくは、手掌側内皮から立ち上がり、手の指間の指股部近傍に配置される立上り部を有する。この場合、立上り部間に上記の拡張部を設けることが好ましい。
【００１９】
上記内皮は、典型的には、手掌側に位置する手掌側内皮と、手甲側に位置する手甲側内皮とを含む。この場合、手掌側内皮は、上記の拡張部を形成するための拡張片を有し、該拡張片を手甲側内皮に縫着することにより拡張部を形成することが好ましい。
【００２０】
上記指部は、典型的には、親指を受け入れる親指部と、人差指を受け入れる人差指部と、中指を受け入れる中指部と、薬指を受け入れる薬指部と、小指を受け入れる小指部とを含む。この場合、中指部の付根部と薬指部の付根部との間に拡張部を設けてもよく、人差指部の付根部と中指部の付根部との間に拡張部を設けてもよい。
【００２１】
上記外皮は、手の各指を受け入れる複数の指袋を有し、該指袋の付根部間であって上記拡張部に対応した位置に間隙を設けることが好ましい。
【００２２】
【発明の実施の形態】
以下、本発明の実施の形態について説明する。まず、本願明細書において「捕球具」とは、野球またはソフトボール用グラブやミット等のボールを捕えるための用具のことである。
【００２３】
本実施の形態の捕球具は、典型的には、外皮と、外皮の内側に挿入される内皮とを備える。外皮は、手掌側に位置しボールを受ける受球面部を形成する手掌側外皮と、手の甲側を覆う手甲側外皮とを有する。内皮は、手掌側に位置する手掌側内皮と、手甲側に位置する手甲側内皮とを含む。上記の手掌側外皮、手甲側外皮、手掌側内皮および手甲側内皮を結合して捕球具が作製される。
【００２４】
捕球具は、通常、プレイヤーの手の各指を受け入れる５つの指袋と、所定の指袋間に設けられたウェブ部と、捕球具内に手を挿入するための手口挿入部とを備える。また、捕球具の中には、手の甲の一部を露出させる開口を有するものもある。
【００２５】
本実施の形態の捕球具では、外皮と内皮との双方が指袋あるいは指部を有し、外皮の指袋内に内皮の指部（指袋）を挿入した状態で、これらを一体化する。捕球具を手に装着する際には、内皮の指部内にプレイヤーの手の各指を挿入する。
【００２６】
指袋には、親指（第１指）を受け入れる親指袋（第１指袋）と、人差指（第２指）を受け入れる人差指袋（第２指袋）と、中指（第３指）を受け入れる中指袋（第３指袋）と、薬指（第４指）を受け入れる薬指袋（第４指袋）と、小指（第５指）を受け入れる小指袋（第５指袋）とがある。外皮の各指袋の背面には、指袋を補強し、かつ指袋に丸みを持たせるための部材を取り付ける。ウェブ部は、典型的には親指袋と人差指袋間に設けられる。手口挿入部は、捕球具一端に設けられた開口で構成される。
【００２７】
本実施の形態における捕球具では、内皮の指袋（指部）の付根部間の少なくとも１箇所に、該付根部間の間隔を拡張する拡張部を設けることを重要な特徴とする。
【００２８】
このように内皮の指部の付根部間に拡張部を設けることにより、所望の指部の付根部間の間隔を広げることができる。それにより、捕球具をプレイヤーの手に装着した際に上記の拡張部によって所望の指の間の間隔を広げた状態で保持することができ、捕球具内で所望の指の位置を固定することができる。その結果、捕球時に捕球具内で指が動くのを抑制することができ、手の力を捕球具に効率的に伝達することができ、また受球する際の最適位置（ポケット位置）の変動をも抑制することができる。したがって捕球ミスを効果的に抑制することができる。
【００２９】
また、上記のような拡張部を設けることにより手と捕球具の密着度をも高めることができ、手と捕球具の一体感が増す。したがって、捕球動作を容易に行える。
【００３０】
上記拡張部は、内皮の指部の付根部間を拡張できるものであれば任意の構成を採用することができる。たとえば、内皮の一部で上記拡張部を形成してもよく、何らかの部材を内皮の指部の付根部間に取付けてもよい。また、該拡張部を形成するための部材は、手掌側内皮や手甲側内皮と同じ材質の部材であってもよく、手掌側内皮や手甲側内皮とは異なる材質の部材であってもよい。
【００３１】
内皮の一部で上記拡張部を形成する場合、手掌側内皮に拡張部を形成するための拡張片を設け、該拡張片を手甲側内皮に縫着することにより拡張部を形成することができる。
【００３２】
手掌側内皮は、プレイヤーの手の平面形状に類似した形状となるように裁断され、プレイヤーの手の指の腹側が当接される複数の延出部を有する。この延出部間に上記の拡張片を設ければよい。拡張片は、所望の延出部の付根部間から、各延出部の長手方向と同方向に延びるように形成可能である。該拡張片は、典型的には帯状の形状を有し、拡張片の幅は各延出部の幅よりも細くする。この拡張片の幅により、プレイヤーの手の指間の間隔を調節することができる。
【００３３】
他方、手掌側内皮に上記のような拡張片を設けることなく手掌側内皮における所望の延出部間の間隔を広くしておき、手甲側内皮の幅を局所的に延長して上記の拡張片に対応する幅の延長部を設けることも考えられる。この場合にも、該拡張部を手掌側内皮と結合することにより、拡張部を形成することができる。
【００３４】
また、拡張部を形成するための別部材を内皮の指部の付根部間に取付ける場合には、当該部材の幅を上記の拡張片や延長部の幅と同等とし、当該部材を手掌側内皮および手甲側内皮と結合すればよい。この場合にも、同様に所望の指部間に拡張部を形成することができる。
【００３５】
内皮の指部は、プレイヤーの手の指を受け入れることができるように、所定の大きさの空間部を有する。この空間部を規定するように、内皮の各指部は、手掌側内皮から立ち上がり手の指間の指股部近傍にまで達する立上り部を有する。この立上り部間に上記の拡張部を設ける。それにより、拡張部を指股部近傍に配置することができ、指の付根部間の間隔を広げた状態で捕球具内でプレイヤーの指の位置を固定することができる。
【００３６】
上記拡張部は、中指部の付根部と薬指部の付根部との間に設けてもよく、人差指部の付根部と中指部の付根部との間に設けてもよい。また、当該拡張部を、薬指部の付根部と小指部の付根部との間、中指部の付根部と薬指部の付根部との間および人差指部の付根部と中指部の付根部との間、中指部の付根部と薬指部の付根部との間および薬指部の付根部と小指部の付根部との間、人差指部の付根部と中指部の付根部との間および薬指部の付根部と小指部の付根部との間、人差指部、中指部、薬指部および小指部の全ての付根部の間に設けてもよい。
【００３７】
複数の指部の付根部間に拡張部を設ける場合、拡張部の幅を異ならせるなどして指部の付根部間の間隔を適切に調節し、捕球具に手を挿入しただけで最も捕球に適した手の形状となるようにすることも可能である。また、プレーヤー毎に手の形状も異なるので、各プレーヤーに適した捕球具を提供することもできる。
【００３８】
上記のように内皮における指部の付根部間に拡張部を設けることに加え、外皮における指袋の付根部間であって上記拡張部に対応した位置に間隙を設けてもよい。この場合、内皮と外皮が一体的となるので、ボールの捕球時の指の動きを捕球具にロスなく伝えることができる。このことも、捕球動作の容易化に寄与し得る。
【００３９】
また、拡張部を内皮の中指部の付根部と薬指部の付根部との間に設け、かつこの拡張部に対応して外皮に上記の間隙を設けた場合には、外皮の受球部の中央部分における受球する際の最適位置（ポケット部）が広がり内野手に適した捕球具となる。また、捕球具内で中指と薬指が少し広がった状態となるので、捕球具の中央付近での指の動きをスムーズにすることができる。
【００４０】
内皮の人差指部の付根部と中指部の付根部との間に拡張部を設け、かつこの拡張部に対応して外皮に上記の間隙を設けた場合には、捕球具の形状が外皮の人差指袋からウェブ部にかけて広がった形状となる。よって、ボールを挟むようにして捕える外野手に適した捕球具となる。また、外皮の人差指袋を中心にして中指袋が少し開いた状態になるので、捕球具内でプレーヤーの中指、薬指、小指を動かし易くなり、捕球具を閉じる動作を行い易くなる。
【００４１】
【実施例】
以下、図１〜図８を用いて本発明の実施例について説明する。
【００４２】
（実施例１）
図１および図２に示すように、本発明の捕球具１は、野球またはソフトボール用グラブであり、受球面部を含む手掌側外皮８と、手甲部を含む手甲側外皮１０とを皮紐などを用いて結合して形成される外皮を備える。外皮は、たとえば天然皮革あるいは人工皮革等の素材を主体とした材料により構成される。
【００４３】
外皮は、親指を受け入れる親指袋（第１指袋）２と、人差指を受け入れる人差指袋（第２指袋）４と、中指を受け入れる中指袋（第３指袋）５と、薬指を受け入れる薬指袋（第４指袋）６と、小指を受け入れる小指袋（第５指袋）７と、親指袋２と人差指袋４間に設けられたウェブ部３と、グラブ１内に手を挿入するための手口挿入部とを備える。
【００４４】
また、本実施例１の捕球具１は、図２に示すように、手甲側外皮１０に、プレイヤーの手の甲の一部を露出させる開口部１１を設けているが、この開口部１１は省略可能である。なお、図２では、説明の便宜上、開口部１１よりも手首側に位置する部分の図示を省略している。
【００４５】
図１に示すように、本実施例１の捕球具１では、中指袋５の付根部と薬指袋６の付根部間の間隔を、人差指袋４の付根部と中指袋５の付根部間の間隔や、薬指袋６の付根部と小指袋７の付根部間の間隔よりも広くし、中指袋５の付根部と薬指袋６の付根部間に間隙９を設けている。
【００４６】
上述の外皮の内側に、内皮を挿入する。そして、この内皮と外皮とを皮紐等を用いて結合することにより、本実施例１の捕球具１が形成される。
【００４７】
内皮の形状例を図４に示す。図４に示すように、内皮は、手掌側に配置される手掌側内皮１２と、手甲側に配置される手甲側内皮１３とを縫着することにより形成される。
【００４８】
この内皮は、親指を受け入れる親指部（第１指部）１６と、人差指を受け入れる人差指部（第２指部）１７と、中指を受け入れる中指部（第３指部）１８と、薬指を受け入れる薬指部（第４指部）１９と、小指を受け入れる小指部（第５指部）２０とを有する。各指部は、先端が開口した略袋状の形状を有している。
【００４９】
図３に示すように、手掌側内皮１２は手の形状に対応した形状を有しており、プレイヤーの手の指の腹側が当接される複数の延出部２１〜２５を有する。延出部２１〜２５には、それぞれプレイヤーの手の親指、人差指、中指、薬指、小指の腹側が当接される。本実施例１では、中指と薬指に対応して設けられた延出部２３，２４間に指股拡張片１５を設けている。
【００５０】
この指股拡張片１５は、帯状の形状を有し、その両側に位置する延出部２３，２４間の付根部間から、延出部２３，２４の長手方向と同方向に延びる。また該指股拡張片１５の長さはたとえば３０ｍｍ〜５０ｍｍ程度、幅は１０ｍｍ〜２０ｍｍ程度であり、延出部２３，２４の長さより短く、かつ延出部２３，２４の幅よりも細くなっている。
【００５１】
図４に示すように、指股拡張片１５を手甲側に折り返し、該指股拡張片１５の幅方向の両側端部を、手甲側内皮１３に縫着する。それにより、中指部１８と薬指部１９間の間隔を、人差指部１７と中指部１８間の間隔や、薬指部１９と小指部２０間の間隔よりも広げることができる。
【００５２】
上述の内皮を開口部１１を通して見た状態を図２に示している。図２に示すように、手甲側内皮１３は、手掌側内皮１２との間にプレーヤーの手の指を受け入れる空間部を形成するように手掌側内皮１２に縫着され、該空間部を規定するように高さ方向に立ち上がる立上り部１４を有する。この立上り部１４間に指股拡張片１５が配置され、中指部１８の付根部と薬指部１９の付根部間の間隔が拡張される。それにより、中指部１８の付根部と薬指部１９の付根部間に拡張部が形成されることとなる。
【００５３】
本実施例１における捕球具１では、この拡張部が、プレーヤーの手の中指と薬指の指股近傍に配置され、中指と薬指の指股側に位置する付根部近傍の側部に当接される。それにより、プレーヤーが手に捕球具１を装着した際に、捕球具１内で中指と薬指間の間隔を広げた状態でこれらの指を固定することができる。
【００５４】
したがって、捕球時に捕球具１内で上記の指が不必要に動くのを抑制することができ、手の力を捕球具１に効率的に伝達し易くなり、また受球する際の最適位置（ポケット位置）の変動をも抑制することができる。その結果、捕球ミスを効果的に抑制することができる。なお、本実施例１における捕球具１は内野手に特に有用である。
【００５５】
（実施例２）
次に、図５〜図８を用いて、本発明の実施例２について説明する。
【００５６】
本実施例２では、図５に示すように、外皮の人差指袋４と中指袋５との間に間隙９を形成している。他方、内皮には、図８に示すように、人差指部１７の付根部と中指部１８の付根部間に指股拡張片１５を縫着している。それにより、人差指部１７の付根部と中指部１８の付根部間に拡張部をすることができる。この拡張部を形成するために、図７に示すように、人差指と中指に対応して設けられた延出部２２，２３の付根部間に指股拡張片１５を形成している。これ以外の構成については、実施例１の場合と基本的に同様である。
【００５７】
本実施例２の場合には、プレーヤーが手に捕球具１を装着した際に、捕球具１内で人差指と中指間の間隔を広げた状態でこれらの指を固定することができる。したがって、捕球時に捕球具１内でこれらの指が不必要に動くのを抑制することができ、手の力を捕球具１に効率的に伝達し易くなり、また受球する際の最適位置の変動をも抑制することができる。その結果、捕球ミスを効果的に抑制することができる。なお、本実施例２における捕球具１は外野手に特に有用である。
【００５８】
以上のように本発明の実施の形態について説明を行ったが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【００５９】
【発明の効果】
本発明によれば、グラブ内でプレイヤーの指の位置を固定することができるので、捕球時に捕球具内でプレーヤーの指が不必要に動くのを抑制することができる。それにより、手の力を捕球具に効率的に伝達でき、また受球する際の最適位置（ポケット位置）の変動をも抑制することができる。したがって、捕球ミスを効果的に抑制することができる。
【図面の簡単な説明】
【図１】本発明の実施例１における捕球具の正面図である。
【図２】本発明の実施例１における捕球具の内部の構成を示す図である。
【図３】本発明の実施例１における捕球具の手掌側内皮の平面図である。
【図４】本発明の実施例１における捕球具に使用可能な内皮の平面図である。
【図５】本発明の実施例２における捕球具の正面図である。
【図６】本発明の実施例２における捕球具の内部の構成を示す図である。
【図７】本発明の実施例２における捕球具に使用可能な手掌側内皮の平面図である。
【図８】本発明の実施例２における捕球具の内皮の平面図である。
【符号の説明】
１  捕球具、２  親指袋、３  ウェブ部、４  人差指袋、５  中指袋、６  薬指袋、７  小指袋、８  手掌側外皮、９  間隙、１０  手甲側外皮、１１  開口部、１２  手掌側内皮、１３  手甲側内皮、１４  立上り部、１５  指股拡張片、１６  親指部、１７  人差指部、１８  中指部、１９  薬指部、２０  小指部、２１〜２５  延出部。
【図１】
2004187742.tif 000003
【図２】
2004187742.tif 000004
【図３】
2004187742.tif 000005
【図４】
2004187742.tif 000006
【図５】
2004187742.tif 000007
【図６】
2004187742.tif 000008
【図７】
2004187742.tif 000009
【図８】
2004187742.tif 000010